(57)【特許請求の範囲】
【請求項１】
端末に応用されるデバイスの標識方法において、
ネットワーク接続を確立するネットワークデバイスのネットワークカテゴリー識別子を獲得するステップと、
前記ネットワークカテゴリー識別子によって、スマートデバイス位置識別子を生成するステップと、
前記ネットワークカテゴリー識別子が同一な前記スマートデバイス位置識別子が集中表示され、前記ネットワークカテゴリー識別子が異なる前記スマートデバイス位置識別子が分けて表示されるように、スマートデバイスのリストに前記スマートデバイス位置識別子を表示するステップと、
を含み、
前記ネットワークカテゴリー識別子は、前記ネットワークデバイスにより確立された前記ネットワーク接続のネットワークカバレッジ位置を指示するために用いられ、
前記ネットワークカテゴリー識別子によって、スマートデバイス位置識別子を生成するステップは、
前記ネットワークカテゴリー識別子によって、前記ネットワークカバレッジ位置の範囲内にあるスマートデバイスを確定するステップと、
前記ネットワークカテゴリー識別子と前記スマートデバイスの識別子によって、前記スマートデバイス位置識別子を生成するステップと、
を含み、
前記ネットワークカテゴリー識別子によって、前記ネットワークカバレッジ位置の範囲内にあるスマートデバイスを確定するステップは、
前記ネットワークデバイスは複数の異なるカテゴリーを含む場合、各カテゴリーの前記ネットワークデバイスのネットワークカバレッジ位置の範囲内にあるスマートデバイスを確定するステップを含み、
前記ネットワークカテゴリー識別子と前記スマートデバイスの識別子によって、前記スマートデバイス位置識別子を生成するステップは、
各カテゴリーの前記ネットワークデバイスのネットワークカテゴリー識別子及び各カテゴリーの前記ネットワークデバイスのネットワークカバレッジ位置の範囲内にあるスマートデバイスの識別子によって、各カテゴリーの前記ネットワークデバイスのネットワークカバレッジ位置の範囲内にあるスマートデバイスのスマートデバイス位置識別子を生成するステップを含むことを特徴とするデバイスの標識方法。
【請求項２】
前記ネットワーク接続を確立するネットワークデバイスのネットワークカテゴリー識別子を獲得するステップの前に、前記方法は、
入力された前記ネットワークカテゴリー識別子を受信するステップと、及び/又は
受信した前記ネットワークカバレッジ位置を選択するための命令によって、前記ネットワークカテゴリー識別子を確定するステップと、
をさらに含むことを特徴とする請求項１に記載の方法。
【請求項３】
前記ネットワークデバイスとしては、ルーター、リピータ及びスイッチのうちの一つ又は複数種を含む
ことを特徴とする請求項１または請求項２に記載の方法。
【請求項４】
端末に応用されるデバイスの標識装置において、
ネットワーク接続を確立するネットワークデバイスのネットワークカテゴリー識別子を獲得する獲得モジュールと、
前記ネットワークカテゴリー識別子によって、スマートデバイス位置識別子を生成するために用いられる生成モジュールと、
前記ネットワークカテゴリー識別子が同一な前記スマートデバイス位置識別子が集中表示され、前記ネットワークカテゴリー識別子が異なる前記スマートデバイス位置識別子が分けて表示されるように、スマートデバイスのリストに前記スマートデバイス位置識別子を表示するために用いられる表示モジュールと、
を含み、
前記ネットワークカテゴリー識別子は、前記ネットワークデバイスにより確立された前記ネットワーク接続のネットワークカバレッジ位置を指示するために用いられ、
前記生成モジュールは、
前記ネットワークカテゴリー識別子によって、前記ネットワークカバレッジ位置の範囲内にあるスマートデバイスを確定するために用いられる確定サブモジュールと、
前記ネットワークカテゴリー識別子と前記スマートデバイスの識別子によって、前記スマートデバイス位置識別子を生成するために用いられる生成サブモジュールと、
を含み、
前記確定サブモジュールは、
前記ネットワークデバイスは複数の異なるカテゴリーを含む場合、各カテゴリーの前記ネットワークデバイスのネットワークカバレッジ位置の範囲内にあるスマートデバイスを確定するために用いられる確定ユニットを含み、
前記生成サブモジュールは、
各カテゴリーの前記ネットワークデバイスのネットワークカテゴリー識別子及び各カテゴリーの前記ネットワークデバイスのネットワークカバレッジ位置の範囲内にあるスマートデバイスの識別子によって、各カテゴリーの前記ネットワークデバイスのネットワークカバレッジ位置の範囲内にあるスマートデバイスのスマートデバイス位置識別子を生成するために用いられる生成ユニットを含むことを特徴とするデバイスの標識装置。
【請求項５】
ネットワーク接続を確立するネットワークデバイスのネットワークカテゴリー識別子を獲得する前に、入力された前記ネットワークカテゴリー識別子を受信するために用いられる受信モジュールと、及び/又は
受信した前記ネットワークカバレッジ位置を選択するための命令によって、前記ネットワークカテゴリー識別子を確定するために用いられる確定モジュールと、
をさらに含むことを特徴とする請求項４に記載の装置。
【請求項６】
前記ネットワークデバイスとしては、ルーター、リピータ及びスイッチのうちの一つ又は複数種を含む
ことを特徴とする請求項４または請求項５に記載の装置。
【請求項７】
プロセッサと、
前記プロセッサで実行可能な命令を記憶するためのメモリを備え、
前記プロセッサは、
ネットワーク接続を確立するネットワークデバイスのネットワークカテゴリー識別子を獲得し、
前記ネットワークカテゴリー識別子によって、スマートデバイス位置識別子を生成し、
前記ネットワークカテゴリー識別子が同一な前記スマートデバイス位置識別子が集中表示され、前記ネットワークカテゴリー識別子が異なる前記スマートデバイス位置識別子が分けて表示されるように、スマートデバイスのリストに前記スマートデバイス位置識別子を表示するように構成され、
前記ネットワークカテゴリー識別子は、前記ネットワークデバイスにより確立された前記ネットワーク接続のネットワークカバレッジ位置を指示するために用いられ、
前記ネットワークカテゴリー識別子によって、スマートデバイス位置識別子を生成することは、
前記ネットワークカテゴリー識別子によって、前記ネットワークカバレッジ位置の範囲内にあるスマートデバイスを確定することと、
前記ネットワークカテゴリー識別子と前記スマートデバイスの識別子によって、前記スマートデバイス位置識別子を生成することと、
を含み、
前記ネットワークカテゴリー識別子によって、前記ネットワークカバレッジ位置の範囲内にあるスマートデバイスを確定することは、
前記ネットワークデバイスは複数の異なるカテゴリーを含む場合、各カテゴリーの前記ネットワークデバイスのネットワークカバレッジ位置の範囲内にあるスマートデバイスを確定することを含み、
前記ネットワークカテゴリー識別子と前記スマートデバイスの識別子によって、前記スマートデバイス位置識別子を生成することは、
各カテゴリーの前記ネットワークデバイスのネットワークカテゴリー識別子及び各カテゴリーの前記ネットワークデバイスのネットワークカバレッジ位置の範囲内にあるスマートデバイスの識別子によって、各カテゴリーの前記ネットワークデバイスのネットワークカバレッジ位置の範囲内にあるスマートデバイスのスマートデバイス位置識別子を生成することを含むことを特徴とするデバイスの標識装置。
【請求項８】
コンピュータに、
ネットワーク接続を確立するネットワークデバイスのネットワークカテゴリー識別子を獲得するステップと、
前記ネットワークカテゴリー識別子によって、スマートデバイス位置識別子を生成するステップと、
前記ネットワークカテゴリー識別子が同一な前記スマートデバイス位置識別子が集中表示され、前記ネットワークカテゴリー識別子が異なる前記スマートデバイス位置識別子が分けて表示されるように、スマートデバイスのリストに前記スマートデバイス位置識別子を表示するステップと、
を実行させるために用いられるプログラムであって、
前記ネットワークカテゴリー識別子は、前記ネットワークデバイスにより確立された前記ネットワーク接続のネットワークカバレッジ位置を指示するために用いられ、
前記ネットワークカテゴリー識別子によって、スマートデバイス位置識別子を生成するステップは、
前記ネットワークカテゴリー識別子によって、前記ネットワークカバレッジ位置の範囲内にあるスマートデバイスを確定するステップと、
前記ネットワークカテゴリー識別子と前記スマートデバイスの識別子によって、前記スマートデバイス位置識別子を生成するステップと、
を含み、
前記ネットワークカテゴリー識別子によって、前記ネットワークカバレッジ位置の範囲内にあるスマートデバイスを確定するステップは、
前記ネットワークデバイスは複数の異なるカテゴリーを含む場合、各カテゴリーの前記ネットワークデバイスのネットワークカバレッジ位置の範囲内にあるスマートデバイスを確定するステップを含み、
前記ネットワークカテゴリー識別子と前記スマートデバイスの識別子によって、前記スマートデバイス位置識別子を生成するステップは、
各カテゴリーの前記ネットワークデバイスのネットワークカテゴリー識別子及び各カテゴリーの前記ネットワークデバイスのネットワークカバレッジ位置の範囲内にあるスマートデバイスの識別子によって、各カテゴリーの前記ネットワークデバイスのネットワークカバレッジ位置の範囲内にあるスマートデバイスのスマートデバイス位置識別子を生成するステップを含むことを特徴とするプログラム。
【請求項９】
請求項の８に記載のプログラムが記録された記録媒体。
【発明の詳細な説明】
【技術分野】
【０００１】
本願は、出願番号が２０１６１０７８７０８１．３であって、出願日が２０１６年８月３０日である中国特許出願を基礎として優先権を主張し、当該中国特許出願の内容のすべてを本願に援用する。
【０００２】
本発明は、スマートデバイス技術分野に関し、特に、デバイスの標識方法、装置、プログラム及び記録媒体に関する。 
【背景技術】
【０００３】
現在、スマートデバイスはますます多くなるのに伴って、管理に問題がある。通常、ユーザーは、管理を簡単にするために、手動でスマートデバイスをグルーピングし、各スマートデバイスを既に作成されたあるグループに追加し、あるスマートデバイスの制御が必要となった場合、まずそのスマートデバイスが属するグループを確定し、或いは、手動でそのスマートデバイスに対してタグをつけ、そしてそのタグによって、制御したいスマートデバイスを確定する。ところが、これらのソリューションは、何れもユーザーが手動でグルーピング又はタグ付けすることを必要とし、且つ、一旦再計画が必要になると、元のグループ又はタグを取り消し、その後、再び手動でグルーピング或いはタグ付けをしなければならない。ユーザーに大きな操作負担をもたらし、且つ自動的にグルーピング又はタグを更新することが不可能である。
【発明の概要】
【発明が解決しようとする課題】
【０００４】
本発明の実施例では、デバイスの標識方法、装置、プログラム及び記録媒体を提供する。 
【課題を解決するための手段】
【０００５】
本発明の技術案は以下のとおりである。
【０００６】
本発明の第１の態様によれば、デバイスの標識方法を提供し、前記方法は、
ネットワーク接続を確立するネットワークデバイスのネットワークカテゴリー識別子を獲得するステップと、
前記ネットワークカテゴリー識別子によって、スマートデバイス位置識別子を生成するステップと、
スマートデバイスのリストに前記スマートデバイス位置識別子を表示するステップと、を含み、
前記ネットワークカテゴリー識別子は、前記ネットワークデバイスにより確立された前記ネットワーク接続のネットワークカバレッジ位置を指示するために用いられる。
【０００７】
一実施例において、前記ネットワーク接続を確立するネットワークデバイスのネットワークカテゴリー識別子を獲得するステップの前に、前記方法は、
入力された前記ネットワークカテゴリー識別子を受信するステップと、及び/又は
受信した前記ネットワークカバレッジ位置を選択するための命令によって、前記ネットワークカテゴリー識別子を確定するステップと、をさらに含む。
【０００８】
一実施例において、前記ネットワークカテゴリー識別子によって、スマートデバイス位置識別子を生成するステップは、
前記ネットワークカテゴリー識別子によって、前記ネットワークカバレッジ位置の範囲内にあるスマートデバイスを確定するステップと、
前記ネットワークカテゴリー識別子と前記スマートデバイスの識別子によって、前記スマートデバイス位置識別子を生成するステップと、を含む。
【０００９】
一実施例において、前記ネットワークカテゴリー識別子によって、前記ネットワークカバレッジ位置の範囲内にあるスマートデバイスを確定するステップは、
前記ネットワークデバイスは複数の異なるカテゴリーを含む場合、各カテゴリーの前記ネットワークデバイスのネットワークカバレッジ位置の範囲内にあるスマートデバイスを確定するステップを含む。
【００１０】
前記ネットワークカテゴリー識別子と前記スマートデバイスの識別子によって、前記スマートデバイス位置識別子を生成するステップは、
各カテゴリーの前記ネットワークデバイスのネットワークカテゴリー識別子及び各カテゴリーの前記ネットワークデバイスのネットワークカバレッジ位置の範囲内にあるスマートデバイスの識別子によって、各カテゴリーの前記ネットワークデバイスのネットワークカバレッジ位置の範囲内にあるスマートデバイスのスマートデバイス位置識別子を生成するステップを含む。
【００１１】
一実施例において、前記ネットワークデバイスとしては、ルーター、リピータ及びスイッチのうちの一つ又は複数種を含む。
【００１２】
本発明の第２の態様によれば、デバイスの標識装置を提供し、前記装置は、
ネットワーク接続を確立するネットワークデバイスのネットワークカテゴリー識別子を獲得する獲得モジュールと、
前記ネットワークカテゴリー識別子によって、スマートデバイス位置識別子を生成するために用いられる生成モジュールと、
スマートデバイスのリストに前記スマートデバイス位置識別子を表示するために用いられる表示モジュールと、を含み、
前記ネットワークカテゴリー識別子は、前記ネットワークデバイスにより確立された前記ネットワーク接続のネットワークカバレッジ位置を指示するために用いられる。
【００１３】
一実施例において、前記装置は、
ネットワーク接続を確立するネットワークデバイスのネットワークカテゴリー識別子を獲得する前に、入力された前記ネットワークカテゴリー識別子を受信するために用いられる受信モジュールと、及び/又は
受信した前記ネットワークカバレッジ位置を選択するための命令によって、前記ネットワークカテゴリー識別子を確定するために用いられる確定モジュールと、をさらに含む。
【００１４】
一実施例において、前記生成モジュールは、
前記ネットワークカテゴリー識別子によって、前記ネットワークカバレッジ位置の範囲内にあるスマートデバイスを確定するために用いられる確定サブモジュールと、
前記ネットワークカテゴリー識別子と前記スマートデバイスの識別子によって、前記スマートデバイス位置識別子を生成するために用いられる生成サブモジュールと、を含む。
【００１５】
一実施例において、前記確定サブモジュールは、
前記ネットワークデバイスは複数の異なるカテゴリーを含む場合、各カテゴリーの前記ネットワークデバイスのネットワークカバレッジ位置の範囲内にあるスマートデバイスを確定するために用いられる確定ユニットを含む。
【００１６】
前記生成サブモジュールは、
各カテゴリーの前記ネットワークデバイスのネットワークカテゴリー識別子及び各カテゴリーの前記ネットワークデバイスのネットワークカバレッジ位置の範囲内にあるスマートデバイスの識別子によって、各カテゴリーの前記ネットワークデバイスのネットワークカバレッジ位置の範囲内にあるスマートデバイスのスマートデバイス位置識別子を生成するために用いられる生成ユニットを含む。
【００１７】
一実施例において、前記ネットワークデバイスとしては、ルーター、リピータ及びスイッチのうちの一つ又は複数種を含む。
【００１８】
本発明の第３の態様によれば、デバイスの標識装置を提供し、前記装置は、
プロセッサと、
前記プロセッサで実行可能な命令を記憶するためのメモリを備え、
前記プロセッサは、
ネットワーク接続を確立するネットワークデバイスのネットワークカテゴリー識別子を獲得し、前記ネットワークカテゴリー識別子によって、スマートデバイス位置識別子を生成し、
スマートデバイスのリストに前記スマートデバイス位置識別子を表示するように構成され、
前記ネットワークカテゴリー識別子は、前記ネットワークデバイスにより確立された前記ネットワーク接続のネットワークカバレッジ位置を指示するために用いられる。
本発明の第４の態様によれば、プログラムを提供し、当該プログラムは、
コンピュータに、
ネットワーク接続を確立するネットワークデバイスのネットワークカテゴリー識別子を獲得するステップと、
前記ネットワークカテゴリー識別子によって、スマートデバイス位置識別子を生成するステップと、
スマートデバイスのリストに前記スマートデバイス位置識別子を表示するステップと、
を実行させるために用いられるプログラムであって、
前記ネットワークカテゴリー識別子は、前記ネットワークデバイスにより確立された前記ネットワーク接続のネットワークカバレッジ位置を指示するために用いられる。
本発明の第５の態様によれば、記録媒体を提供し、当該記録媒体には、プログラムが記録された。
【発明の効果】
【００１９】
本発明に提供された技術案によれば、以下のような技術効果が奏される。即ち、
上述した技術案によれば、ネットワーク接続を確立するネットワークデバイスのネットワークカテゴリー識別子を獲得した後、当該ネットワークカテゴリー識別子に基づき、スマートデバイス位置識別子を自動的に生成し、且つスマートデバイスのリストに当該スマートデバイス位置識別子を表示することにより、ユーザーは、スマートデバイスのリストにあるスマートデバイス位置識別子を調べることで前記スマートデバイスが所在する位置を明確に知ることができるが、ユーザーは通常、位置により、ある位置の範囲内のスマートデバイスを探して管理することに慣れ、そのため、ユーザーが手動でスマートデバイスをグルーピング或いはタグ付けすることを不要とする上で、ユーザーはスマートデバイスについて迅速な管理を行うことを容易にすることができる。
【００２０】
なお、前記一般的な記載及び後述の詳細な記載は、単なる例示的で解釈的な記載であり、本発明を限定しない。
【図面の簡単な説明】
【００２１】
以下の図面は、明細書に組み入れて本明細書の一部分を構成し、本発明に該当する実施例を例示するとともに、明細書とともに本発明の原理を解釈するように構成される。
【００２２】
【図１】一例示的な実施例に係るデバイスの標識方法を示すフローチャートである。
【図２】他の例示的な実施例に係るデバイスの標識方法を示すフローチャートである。
【図３】他の例示的な実施例に係るデバイスの標識方法を示すフローチャートである。
【図４】一例示的な実施例に係るデバイスの標識装置を示すブロック図である。
【図５】他の例示的な実施例に係るデバイスの標識装置を示すブロック図である。
【図６】一例示的な実施例に係るデバイスの標識装置に適するブロック図である。
【発明を実施するための形態】
【００２３】
ここで、図面に示される例示的な実施例について詳細に説明する。以下、図面に関連して説明する際に、特別な説明がない限り、異なる図面での同一符号は、同一又は類似な要素を示す。以下の例示的な実施例で記載する実施例は、本発明に一致する全ての実施例を代表するわけではない。かえって、それらは、添付される特許請求の範囲で詳細に記載される本発明の一部の態様に一致する装置、及び方法の例に過ぎない。
【００２４】
現在、スマートデバイスはますます多くなるのに伴って、管理に問題がある。通常、ユーザーは、管理を簡単にするために、手動でスマートデバイスをグルーピングし、各スマートデバイスを既に作成されたあるグループに追加し、あるスマートデバイスを制御する必要がある場合、まずそのスマートデバイスが属するグループを確定し、或いは、手動でそのスマートデバイスに対してタグをつけ、そしてそのタグによって、制御したいスマートデバイスを確定する。ところが、これらのソリューションは、何れもユーザーが手動でグルーピング又はタグ付けすることを必要とし、且つ、一旦再計画が必要になると、元のグループ又はタグを取り消し、その後、再び手動でグルーピング或いはタグ付けをしなければならない。ユーザーに大きな操作負担をもたらし、且つ自動的にグルーピング又はタグを更新することが不可能である。
【００２５】
上記の技術課題を解決するために、本発明はデバイスの標識方法を提供し、前記方法は、デバイスの標識プログラム、システム又は装置に用いられることができ、且つ前記方法に対応する実行主体はスマートデバイスとして管理される携帯電話、タブレットデバイス、コンピュータなどの端末であってもよい。図１に示すように、この方法はステップＳ１０１ないしステップＳ１０３を含む。
【００２６】
ステップＳ１０１において、ネットワーク接続を確立するネットワークデバイスのネットワークカテゴリー識別子を獲得する。ここで、ネットワークカテゴリー識別子は、ネットワークデバイスにより確立されたネットワーク接続のネットワークカバレッジ位置を指示するために用いられる。
【００２７】
その中で、前記ネットワーク接続は無線ネットワーク接続と、有線ネットワーク接続と、を含む。無線ネットワーク接続はブルートゥース（Ｂｌｕｅｔｏｏｔｈ（登録標識））、ＷｉＦｉ、モバイルデータネットワークなどのネットワーク接続であってもよい。
【００２８】
ネットワークカテゴリー識別子は、前記ネットワークデバイスにより確立されたネットワーク接続のネットワークカバレッジ位置を示すために用いられることができる。例えば、前記ネットワークデバイスにより確立されたネットワーク接続はＸＸビルをカバーしている場合、前記ネットワーク接続のネットワークカバレッジ位置はそのＸＸビルであり、前記ネットワークデバイスにより確立されたネットワーク接続はＸＸ住宅をカバーしている場合、前記ネットワーク接続のネットワークカバレッジ位置はそのＸＸ住宅であり、前記ネットワークデバイスにより確立されたネットワーク接続はＸＸ住宅における応接間をカバーしている場合、前記ネットワーク接続のネットワークカバレッジ位置はＸＸ住宅における応接間などである。
【００２９】
前記ネットワークデバイスはネットワークを確立することができるすべてのデバイスであり、例えば、ルーター、リピータ、スイッチ、さらには携帯電話などのデバイスが挙げられる。
【００３０】
ステップＳ１０２において、ネットワークカテゴリー識別子によって、スマートデバイス位置識別子を生成する。
【００３１】
ステップＳ１０３において、スマートデバイスのリストにスマートデバイス位置識別子を表示する。
【００３２】
ネットワーク接続を確立するネットワークデバイスのネットワークカテゴリー識別子を獲得した後、前記ネットワークカテゴリー識別子に基づき、スマートデバイス位置識別子を自動的に生成し、且つスマートデバイスのリストに前記スマートデバイス位置識別子を表示することにより、ユーザーは、スマートデバイスのリストにあるスマートデバイス位置識別子を調べることで前記スマートデバイスが所在する位置を明確に知ることができるが、ユーザーは通常、位置により、前記位置の範囲内のスマートデバイスを探して管理する（例えば、制御する）ことに慣れ、そのため、ユーザーが手動でスマートデバイスをグルーピング或いはタグ付けすることを不要とする上で、ユーザーはスマートデバイスについて迅速な管理を行うことを容易にすることができる。
【００３３】
なお、ネットワークカテゴリー識別子を元に生成されたスマートデバイス位置識別子であるため、スマートデバイスのリストにスマートデバイス位置識別子を表示する際、ネットワークカテゴリー識別子が同じなスマートデバイスのスマートデバイス位置識別子は自ずと集中表示され、それに対し、ネットワークカテゴリー識別子が異なるスマートデバイスのスマートデバイス位置識別子は自然に分けて表示される。したって、ネットワークカテゴリー識別子によってスマートデバイスを自動的にカテゴリー分け/グルーピングすることを実現する。
【００３４】
一実施例において、上記図１におけるステップＳ１０１を実行する前に、上記方法は、
入力されたネットワークカテゴリー識別子を受信するステップと、
及び/又は
受信したネットワークカバレッジ位置を選択するための命令によって、ネットワークカテゴリー識別子を確定するステップとを含む。
【００３５】
前記ネットワークカテゴリー識別子はユーザーにより入力されたものであってもよく、即ち、前記ネットワークカテゴリー識別子はユーザーにより付記されたものであってもよい。
【００３６】
前記ネットワーク接続のネットワークカバレッジ位置は選択可能な位置を複数有していることができる場合、前記ネットワークカバレッジ位置を選択するための命令を受信してから、複数の選択可能な位置から前記命令に対応するネットワークカバレッジ位置を選択し、且つ前記命令に対応するネットワークカバレッジ位置により前記ネットワークカテゴリー識別子を自動的に確定することができる。
【００３７】
図２に示すように、一実施例において、上記図１におけるステップＳ１０２は以下のように実行されることができる。
【００３８】
ステップＡ１において、ネットワークカテゴリー識別子によって、ネットワークカバレッジ位置の範囲内にあるスマートデバイスを確定する。ここで、ネットワークカバレッジ位置の範囲内にあるスマートデバイスは、一つでも複数でもよく、同じカテゴリーのスマートデバイスでも異なるカテゴリーのスマートデバイスでもよい。前記ネットワークカバレッジ位置の範囲内にあるスマートデバイスは同じカテゴリーに属する複数のスマートデバイスを含む場合、番号や型番などによって前記同じカテゴリーに属する複数のスマートデバイスを区別することができる。
【００３９】
ステップＡ２において、ネットワークカテゴリー識別子とスマートデバイスの識別子によって、スマートデバイス位置識別子を生成する。ここで、前記スマートデバイスの識別子は、そのスマートデバイスの名称、型番、番号などの前記スマートデバイスを標識することができる情報であってもよい。前記スマートデバイスは、前記ネットワークカバレッジ範囲内に位置し、且つ前記ネットワーク接続に接続されるスマートライト、スマート空気清浄機、スマート洗濯機、スマートエアコン、スマート冷蔵庫、携帯電話など、ネットワークを通じて管理されることが可能なデバイスであってもよい。ここで、スマートデバイスにスマートデバイス位置識別子を生成する際、当該ネットワークカテゴリー識別子と当該スマートデバイスの識別子とを組み合わせば、前記スマートデバイスのスマートデバイス位置識別子を得ることができる。
【００４０】
前記ネットワークカテゴリー識別子を獲得した場合、前記ネットワークリスト識別子により指示されたネットワークカバレッジ範囲内にあるスマートデバイスを確定することができ、さらに、前記ネットワークカテゴリー識別子とスマートデバイスの識別子によって、前記スマートデバイスのスマートデバイス位置識別子を自動的に生成することができる。例えば、当該ネットワークカテゴリー識別子はＸＸ住宅の２階であり、かつ、前記スマートデバイスの識別子はスマートライトである時には、前記スマートライトのスマートデバイス位置識別子はＸＸ住宅２階-スマートライトであってもよく、前記ネットワークカテゴリー識別子はＸＸビル３階であり、かつ、前記スマートデバイスの識別子は１号スマートエアコンである時には、前記１号スマートエアコンのスマートデバイス位置識別子はＸＸビル３階-１号スマートエアコンであってもよい。したがって、ユーザーは手動で当該スマートデバイスにタグを付ける必要を無くし、そして、前記スマートデバイス位置識別子は、前記ネットワークカテゴリー識別子、即ち、前記スマートデバイスにより確立されたネットワーク接続のネットワークカバレッジ位置を直接に示しているため、ユーザーが手動で前記スマートデバイスをグルーピングすることを必要としない上で、ユーザーがネットワークカバレッジ位置の違いによりある位置に位置するスマートデバイスを迅速に見つけて管理することを容易にすることができる。
【００４１】
図３に示すように、一実施例において、上記図２におけるステップＡ１は、
ステップＢ１において、ネットワークデバイスは複数の異なるカテゴリーを含む場合、各カテゴリーのネットワークデバイスのネットワークカバレッジ範囲内にスマートデバイスを確定するように実行されることができる。
【００４２】
上記図２におけるステップＡ２は以下のように実行されることができる。
【００４３】
ステップＢ２において、各カテゴリーのネットワークデバイスのネットワークカテゴリー識別子及び各カテゴリーのネットワークデバイスのネットワークカバレッジ位置の範囲内にあるスマートデバイスの識別子によって、各カテゴリーのネットワークデバイスのネットワークカバレッジ位置の範囲内にあるスマートデバイスのスマートデバイス位置識別子を生成する。ここで、各カテゴリーのネットワークデバイスのネットワークカバレッジ範囲内にあるスマートデバイスの数は一つでも複数でもよい。数に関係なく、各カテゴリーのネットワークデバイスのネットワークカバレッジ位置の範囲内にある各スマートデバイスにスマートデバイス位置識別子を生成する際、いずれも当該スマートデバイスが所在するネットワークカバレッジ位置の範囲内にあるネットワークデバイスのネットワークカテゴリー識別子、及び当該スマートデバイスの識別子によって生成することが可能である。
【００４４】
ネットワークデバイスは複数の異なるカテゴリーを含む場合、各カテゴリーのネットワークデバイスのネットワークカバレッジ位置の範囲内にあるスマートデバイスを確定し、さらに各カテゴリーのネットワークデバイスのネットワークカテゴリー識別子及び各カテゴリーのネットワークデバイスのネットワークカバレッジ位置の範囲にあるスマートデバイスの識別子により、各カテゴリーのネットワークデバイスのネットワークカバレッジ位置の範囲内にあるスマートデバイスのスマートデバイス位置識別子を自動的に生成でき、よって自動的に各カテゴリーのネットワークデバイスのネットワークカバレッジ位置の範囲にあるスマートデバイスに、より正確で全面的な位置識別子を生成する。したがって、さらに、ユーザーはあるネットワークカバレッジ位置の範囲内にあるスマートデバイスを見つけて管理するのには便利である。また、さらに、ユーザーはスマートデバイスを簡単に管理するために、各カテゴリーのネットワークデバイスのネットワークカバレッジ位置の範囲内にあるスマートデバイスにスマートデバイス位置識別子を生成するときに、各カテゴリーのネットワークデバイスのネットワークカテゴリー識別子の優先度（この優先度は予め設定されてもよく、或いは、ネットワークカバレッジ位置の範囲が広いネットワークデバイスほどその優先度が高いようになってもよい）及び各カテゴリーのネットワークデバイスのネットワークカバレッジ位置の範囲内にあるスマートデバイスの識別子により生成することができ、それにより、スマートデバイス位置識別子において優先度が高いカテゴリーのネットワークデバイスのネットワークカテゴリー識別子は、スマートデバイス位置識別子の中での順番が前にある。例えば、ネットワークデバイスはルーターとリピータの２つのカテゴリーを含む場合、ルーターにより確立されたネットワーク接続のネットワークカバレッジのネットワークカバレッジ位置がＸＸ住宅上の階であり（即ち、ルーターのネットワークカテゴリー識別子はＸＸ住宅上の階である）、ＸＸ住宅上の階におけるスマートデバイスは１号スマートライトと２号スマートライトであり、リピータにより確立されたネットワーク接続のネットワークカバレッジのネットワークカバレッジ位置はＸＸ住宅上の階における南の寝室であり（即ち、リピータのネットワークカテゴリー識別子はＸＸ住宅上の階における南の寝室である）、ＸＸ住宅上の階における南の寝室のスマートデバイスは２号スマートライトであれば、同時にルーターはリピータよりも優先度が高ければ、１号スマートライトのスマートデバイス位置識別子はＸＸ住宅上の階-１号スマートライトであってもよく、２号スマートライトのスマートデバイス位置識別子はＸＸ住宅上の階-南の寝室-２号スマートライトであってもよい（その中で、２号スマートライトのスマートデバイス位置識別子の中で、優先度がより高いルーターのネットワークカテゴリー識別子の、スマートデバイス位置識別子における順番は優先度がより低いリピータのネットワークカテゴリー識別子の順番より前にある）。
【００４５】
一実施例において、ネットワークデバイスとしては、ルーター、リピータ及びスイッチのうちの一つ又は複数種を含む。
【００４６】
前記ネットワークデバイスはネットワークを確立することができるあらゆるデバイスであり、ルーターと、リピータと、スイッチと、を含むが、それらに限らなく、例えば、携帯電話などのデバイスも挙げられる。
【００４７】
本発明によって提供された上述したデバイスの標識方法に対応し、本発明はデバイスの標識装置をさらに提供し、図４に示すように、前記装置は、
ネットワーク接続を確立するネットワークデバイスのネットワークカテゴリー識別子を獲得する獲得モジュール４０１と、
ネットワークカテゴリー識別子によって、スマートデバイス位置識別子を生成する生成モジュール４０２と、
スマートデバイスのリストにスマートデバイス位置識別子を表示する表示モジュール４０３と、を含み、
ネットワークカテゴリー識別子は、ネットワークデバイスにより確立されたネットワーク接続のネットワークカバレッジ位置を指示するために用いられる。
【００４８】
一実施例において、前記装置は、
ネットワーク接続を確立するネットワークデバイスのネットワークカテゴリー識別子を獲得する前に、入力されたネットワークカテゴリー識別子を受信する受信モジュールと、及び/又は
受信したネットワークカバレッジ位置を選択するための命令によって、ネットワークカテゴリー識別子を確定する確定モジュールと、をさらに含む。
【００４９】
図５に示すように、一実施例において、上記図４に示す生成モジュール４０２は、
ネットワークカテゴリー識別子によって、ネットワークカバレッジ位置の範囲内にあるスマートデバイスを確定する確定サブモジュール４０２１と、
ネットワークカテゴリー識別子とスマートデバイスの識別子によって、スマートデバイス位置識別子を生成する生成サブモジュール４０２２と、を含むことができる。
【００５０】
一実施例において、確定サブモジュール４０２１は、
ネットワークデバイスは複数の異なるカテゴリーを含む場合、各カテゴリーのネットワークデバイスのネットワークカバレッジ位置の範囲内にあるスマートデバイスを確定する確定ユニットを含むことができる。
【００５１】
生成サブモジュールは、
各カテゴリーのネットワークデバイスのネットワークカテゴリー識別子及び各カテゴリーのネットワークデバイスのネットワークカバレッジ位置の範囲内にあるスマートデバイスの識別子によって、各カテゴリーのネットワークデバイスのネットワークカバレッジ位置の範囲内にあるスマートデバイスのスマートデバイス位置識別子を生成する生成ユニットを含む。
【００５２】
一実施例において、ネットワークデバイスとしては、ルーター、リピータ及びとスイッチのうちの一つ又は複数を含む。
【００５３】
本発明の第３の態様によれば、デバイスの標識装置を提供し、前記装置は、
プロセッサと、
前記プロセッサで実行可能な命令を記憶するためのメモリを備え、
前記プロセッサは、
ネットワーク接続を確立するネットワークデバイスのネットワークカテゴリー識別子を獲得し、
前記ネットワークカテゴリー識別子によって、スマートデバイス位置識別子を生成し、
スマートデバイスのリストに前記スマートデバイス位置識別子を表示するように構成され、
前記ネットワークカテゴリー識別子は、前記ネットワークデバイスにより確立された前記ネットワーク接続のネットワークカバレッジ位置を指示するために用いられる。
【００５４】
上述したプロセッサは、
ネットワーク接続を確立するネットワークデバイスのネットワークカテゴリー識別子を獲得する前に、入力された前記ネットワークカテゴリー識別子を受信することと、及び/又は
受信した前記ネットワークカバレッジ位置を選択するための命令によって、前記ネットワークカテゴリー識別子を確定するように構成されることができる。
【００５５】
上述したプロセッサは、
前記ネットワークカテゴリー識別子によって、スマートデバイス位置識別子を生成することは、
前記ネットワークカテゴリー識別子によって、前記ネットワークカバレッジ位置の範囲内にあるスマートデバイスを確定し、
前記ネットワークカテゴリー識別子と前記スマートデバイスの識別子によって、前記スマートデバイス位置識別子を生成するようにさらに構成されることができる。
【００５６】
上述したプロセッサは、
前記ネットワークカテゴリー識別子によって、前記ネットワークカバレッジ位置の範囲内にあるスマートデバイスを確定することは、
前記ネットワークデバイスは複数の異なるカテゴリーを含む場合、各カテゴリーの前記ネットワークデバイスのネットワークカバレッジ位置の範囲内にあるスマートデバイスを確定し、
前記ネットワークカテゴリー識別子と前記スマートデバイスの識別子によって、前記スマートデバイス位置識別子を生成することは、
各カテゴリーの前記ネットワークデバイスのネットワークカテゴリー識別子及び各カテゴリーの前記ネットワークデバイスのネットワークカバレッジ位置の範囲内にあるスマートデバイスの識別子によって、各カテゴリーの前記ネットワークデバイスのネットワークカバレッジ位置の範囲内にあるスマートデバイスのスマートデバイス位置識別子を生成するように構成されることができる。
【００５７】
上述したプロセッサは、
前記ネットワークデバイスとしては、ルーター、リピータ及びスイッチのうちの一つ又は複数種を含むように構成されることができる。
【００５８】
図６は、一例示的な実施例に係るデバイスの標識装置６００のブロック図であり、端末機器に用いられる。例えば、装置６００は、携帯電話、コンピュータ、デジタルブロードキャスト端末、メッセージ送受信機、ゲームコンソール、タブレットデバイス、医療機器、フィットネス機器、個人向け携帯型情報端末機器（ＰＤＡ）などであってもよい。
【００５９】
図６を参照すると、装置６００は、処理ユニット６０２、メモリ６０４、電源ユニット６０６、マルチメディアユニット６０８、オーディオユニット６１０、入力/出力（Ｉ/Ｏ）インタフェース６１２、センサーユニット６１４、及び通信ユニット６１６からなる群から選ばれる少なくとも一つを備えてもよい。
【００６０】
処理ユニット６０２は、一般的には、装置６００の全体の操作、例えば、表示、電話呼び出し、データ通信、カメラ操作及び記録操作に関連する操作を制御する。処理ユニット６０２は、上述した方法におけるステップの一部又は全部を実現できるように、命令を実行する少なくとも一つのプロセッサ６２０を備えてもよい。また、処理ユニット６０２は、他のユニットとのインタラクションを便利にさせるように、少なくとも一つのモジュールを備えてもよい。例えば、処理ユニット６０２は、マルチメディアユニット６０８とのインタラクションを便利にさせるように、マルチメディアモジュールを備えてもよい。
【００６１】
メモリ６０４は、装置６００での操作をサポートするように、各種のデータを記憶するように配置される。これらのデータは、例えば、装置６００で何れのアプリケーション又は方法を操作するための命令、連絡先データ、電話帳データ、メッセージ、画像、ビデオ等を含む。メモリ６０４は、何れの種類の揮発性又は不揮発性メモリ、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｏｒｙ）、磁気メモリ、フラッシュメモリ、磁気ディスク、又は光ディスクにより、又はそれらの組み合わせにより実現することができる。
【００６２】
電源ユニット６０６は、装置６００の各種ユニットに電力を供給するためのものであり、電源管理システム、少なくとも一つの電源、及び装置６００のために電力を生成、管理及び分配することに関連する他のユニットを備えてもよい。
【００６３】
マルチメディアユニット６０８は、装置６００とユーザーとの間に出力インタフェースを提供するスクリーンを備えてもよい。スクリーンは、例えば、液晶ディスプレイ（ＬＣＤ）やタッチパネル（ＴＰ）を備えてもよい。スクリーンは、タッチパネルを備える場合、ユーザーからの入力信号を受信するように、タッチスクリーンになることができる。また、タッチパネルは、タッチや、スライドや、タッチパネル上の手振りを感知するように、少なくとも一つのタッチセンサーを有する。前記タッチセンサーは、タッチやスライド動作の境界を感知できるだけではなく、タッチやスライド操作と関連する持続時間や圧力も感知できる。一実施例では、マルチメディアユニット６０８は、フロントカメラ及び/又はバックカメラを有してもよい。装置６００が、例えば、撮影モードやビデオモードのような操作モードにある時、フロントカメラ及び/又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【００６４】
オーディオユニット６１０は、オーディオ信号を出力及び/又は入力するように配置される。例えば、オーディオユニット６１０は、マイクロフォン（ＭｉＣ）を有してもよい。装置６００が、例えば、呼び出しモード、記録モード、又は音声認識モードのような操作モードにあるとき、マイクロフォンは、外部のオーディオ信号を受信するように配置される。受信したオーディオ信号は、メモリ６０４にさらに記憶されてもよいし、通信ユニット６１６を介して送信されてもよい。一実施例では、オーディオユニット６１０は、オーディオ信号を出力するためのスピーカをさらに備えてもよい。
【００６５】
Ｉ/Ｏインタフェース６１２は、処理ユニット６０２と外部のインタフェースモジュールとの間にインタフェースを提供するためのものである。上記外部のインタフェースモジュールは、キーボードや、クリックホイールや、ボタン等であってもよい。これらのボタンは、ホームボタンや、音量ボタンや、スタートボタンや、ロックボタンであってもよいが、それらに限らない。
【００６６】
センサーユニット６１４は、装置６００のために各方面の状態を評価する少なくとも一つのセンサーを備えてもよい。例えば、センサーユニット６１４は、装置６００のオン/オフ状態や、ユニットの相対的な位置を検出することができる。例えば、前記ユニットは、装置６００のディスプレイ及びキーパッドである。センサーユニット８１４は、装置６００又は装置６００の一つのユニットの位置の変化、ユーザーによる装置６００への接触の有無、装置６００の方向又は加速/減速、装置６００の温度変化などを検出することができる。センサーユニット６１４は、何れの物理的な接触もない場合に付近の物体を検出するように配置される近接センサーを有してもよい。センサーユニット６１４は、イメージングアプリケーションに用いるための光センサー、例えば、ＣＭＯＳ又はＣＣＤ画像センサーを有してもよい。一実施例では、当該センサーユニット６１４は、加速度センサー、ジャイロスコープセンサー、磁気センサー、圧力センサー又は温度センサーをさらに備えてもよい。
【００６７】
通信ユニット６１６は、装置６００と他の設備の間との無線又は有線通信を便利にさせるように配置される。装置６００は、通信標準に基づく無線ネットワーク、例えば、ＷｉＦｉ、２Ｇ又は３Ｇ、又はそれらの組み合わせにアクセスできる。一つの例示的な実施例では、通信ユニット６１６は、ブロードキャストチャンネルを介して外部のブロードキャスト管理システムからのブロードキャスト信号又はブロードキャストに関する情報を受信する。一つの例示的な実施例では、前記通信ユニット６１６は、近距離通信を促進するために近距離無線通信（ＮＦＣ）モジュールをさらに備えてもよい。例えば、ＮＦＣモジュールは、無線周波数認識装置（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ Ｄａｔａ Ａｓｓｏｃｉａｔｉｏｎ）技術、超広帯域無線（ＵＷＢ：Ｕｌｔｒａ Ｗｉｄｅ Ｂａｎｄ）技術、ブルートゥース（登録商標）（ＢＴ：Ｂｌｕｅｔｏｏｔｈ）技術及び他の技術によって実現されてもよい。
【００６８】
例示的な実施例では、装置６００は、上述したデバイスの標識方法を実行するために、少なくとも一つの特定用途向け集積回路（ＡＳＩＣ：Ａｐｐｌｉｃａｔｉｏｎ Ｓｐｅｃｉｆｉｃ Ｉｎｔｅｇｒａｔｅｄ Ｃｉｒｃｕｉｔ）、デジタル信号プロセッサ（ＤＳＰ：Ｄｉｇｉｔａｌ Ｓｉｇｎａｌ Ｐｒｏｃｅｓｓｏｒ）、デジタル信号処理デバイス（ＤＳＰＤ：Ｄｉｇｉｔａｌ Ｓｉｇｎａｌ Ｐｒｏｃｅｓｓｉｎｇ Ｄｅｖｉｃｅ）、プログラマブルロジックデバイス（ＰＬＤ：Ｐｒｏｇｒａｍｍａｂｌｅ Ｌｏｇｉｃ Ｄｅｖｉｃｅ）、書替え可能ゲートアレイ（ＦＰＧＡ：Ｆｉｅｌｄ−Ｐｒｏｇｒａｍｍａｂｌｅ Ｇａｔｅ Ａｒｒａｙ）、コントローラ、マイクロコントローラ、マイクロプロセッサ、又は他の電子機器によって実現されてもよい。
【００６９】
例示的な実施例では、命令を有する非一時的コンピュータ読み取り可能な記録媒体、例えば、命令を有するメモリ６０４をさらに提供する。前記命令は、装置６００のプロセッサ６２０により実行されて上述した方法を実現する。例えば、前記非一時的コンピュータ読み取り可能な記録媒体は、ＲＯＭ、ＲＡＭ、ＣＤ-ＲＯＭ、磁気テープ、フロッピー（登録商標）ディスク及び光データメモリ等であってもよい。
【００７０】
非一時的コンピュータ可読記録媒体は、前記記録媒体における命令が装置６００のプロセッサにより実行される場合、装置６００が上述したデバイスの標識方法を実行するようさせ、前記方法は、
ネットワーク接続を確立するネットワークデバイスのネットワークカテゴリー識別子を獲得するステップと、
前記ネットワークカテゴリー識別子によって、スマートデバイス位置識別子を生成するステップと、
スマートデバイスのリストに前記スマートデバイス位置識別子を表示するステップと、を含み、
前記ネットワークカテゴリー識別子は、前記ネットワークデバイスにより確立された前記ネットワーク接続のネットワークカバレッジ位置を指示するために用いられる。
【００７１】
一実施例において、ネットワーク接続を確立するネットワークデバイスのネットワークカテゴリー識別子を獲得するステップの前に、前記方法は、
入力された前記ネットワークカテゴリー識別子を受信するステップと、及び/又は
受信した前記ネットワークカバレッジ位置を選択するための命令によって、前記ネットワークカテゴリー識別子を確定するステップと、をさらに含む。
【００７２】
一実施例において、前記ネットワークカテゴリー識別子によって、スマートデバイス位置識別子を生成するステップは、
前記ネットワークカテゴリー識別子によって、前記ネットワークカバレッジ位置の範囲内にあるスマートデバイスを確定するステップと、
前記ネットワークカテゴリー識別子と前記スマートデバイスの識別子によって、前記スマートデバイス位置識別子を生成するステップと、を含む。
【００７３】
一実施例において、前記ネットワークカテゴリー識別子によって、前記ネットワークカバレッジ位置の範囲内にあるスマートデバイスを確定するステップは、
前記ネットワークデバイスは複数の異なるカテゴリーを含む場合、各カテゴリーの前記ネットワークデバイスのネットワークカバレッジ位置の範囲内にあるスマートデバイスを確定するステップを含む。
【００７４】
前記ネットワークカテゴリー識別子と前記スマートデバイスの識別子によって、前記スマートデバイス位置識別子を生成するステップは、
各カテゴリーの前記ネットワークデバイスのネットワークカテゴリー識別子及び各カテゴリーの前記ネットワークデバイスのネットワークカバレッジ位置の範囲内にあるスマートデバイスの識別子によって、各カテゴリーの前記ネットワークデバイスのネットワークカバレッジ位置の範囲内にあるスマートデバイスのスマートデバイス位置識別子を生成するステップを含む。
【００７５】
一実施例において、前記ネットワークデバイスとしては、ルーター、リピータ及びスイッチのうちの一つ又は複数種を含む。
【００７６】
当業者は、明細書に対する理解、及び明細書に記載された発明に対する実施を介して、本発明の他の実施形態を容易に想到することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、単に例示的なものであって、本発明の本当の範囲と主旨は、以下の特許請求の範囲によって示される。
【００７７】
本発明は、前記で記述され、図面で図示した特定の構成に限定されず、その範囲を離脱しない状況で、様々な修正や変更を実施してもよい。本発明の範囲は、添付される特許請求の範囲のみにより限定される。
【図１】
0006634434.tif 000002
【図２】
0006634434.tif 000003
【図３】
0006634434.tif 000004
【図４】
0006634434.tif 000005
【図５】
0006634434.tif 000006
【図６】
0006634434.tif 000007